(57)【特許請求の範囲】
【請求項１】
内部にイヤホンジャックが形成されたソケット本体と、
前記イヤホンジャック内に設置され、イヤホンプラグが前記イヤホンジャックに挿入される際に、前記イヤホンプラグの接地部に接触する複数の接地端子と
を含み、
各前記接地端子は、
前記イヤホンジャックの内壁に設置された共通接地構造と、
前記イヤホンプラグが前記イヤホンジャックに挿入される際に、前記イヤホンプラグに接触する頭部と、
前記共通接地構造と頭部との間に設置された弾性機構と
を含み、
前記接地端子の頭部は球状の金属構造であり、
前記弾性機構はスプリングである
ことを特徴とするイヤホンソケット。
【請求項２】
前記イヤホンジャックの端部から前記複数の接地端子までの距離は、前記イヤホンプラグの挿入方向に沿って同一である
ことを特徴とする請求項１に記載のイヤホンソケット。
【請求項３】
前記複数の接地端子は、前記イヤホンジャックの周方向に沿って均等に配置される
ことを特徴とする請求項２に記載のイヤホンソケット。
【請求項４】
各前記接地端子は弾性シート状構造を有する
ことを特徴とする請求項１に記載のイヤホンソケット。
【請求項５】
プラグ本体と、
前記プラグ本体の接地部に設置され、前記プラグ本体がイヤホンジャックに挿入される際に、前記イヤホンジャックの内壁における共通接地エリアに接触する複数の接地端子と
を含み、
各前記接地端子は、
前記プラグ本体に設置された共通接地構造と、
前記プラグ本体が前記イヤホンジャックに挿入される際に、前記共通接地エリアに接触する頭部と、
前記共通接地構造と前記頭部との間に設置された弾性機構と
を含み、
前記接地端子の頭部は球状の金属構造であり、
前記弾性機構はスプリングである
ことを特徴とするイヤホンプラグ。
【請求項６】
前記イヤホンプラグの端部から前記複数の接地端子までの距離は、前記イヤホンプラグの挿入方向に沿って同一である
ことを特徴とする請求項５に記載のイヤホンプラグ。
【請求項７】
前記複数の接地端子は、前記イヤホンジャックの周方向に沿って均等に配置される
ことを特徴とする請求項６に記載のイヤホンプラグ。
【請求項８】
前記プラグ本体の内部には、軸方向の収納空間が形成され、且つ、前記共通接地構造は当該軸方向の収納空間内に位置し、
前記プラグ本体には、前記軸方向の収納空間と連通される複数の径方向の開放孔がさらに設けられ、且つ、前記接地端子は一対一に対応するように前記複数の径方向の開放孔内に設けられる
ことを特徴とする請求項５に記載のイヤホンプラグ。
【請求項９】
請求項５〜８のいずれか１項に記載のイヤホンプラグ
を含むことを特徴とするイヤホン。
【請求項１０】
請求項１〜４のいずれか１項に記載のイヤホンソケット
を含むことを特徴とする電子デバイス。
【発明の詳細な説明】
【相互参照】
【０００１】
本願は、出願番号がＣＮ２０１４１０７４６５７２.４であって、出願日が２０１４年１２月０８日である中国特許出願に基づいて優先権を主張し、当該中国特許出願のすべての内容を援用する。
【技術分野】
【０００２】
本願は、イヤホン技術分野に関し、特に、イヤホンソケット、イヤホンプラグ、イヤホン及び電子デバイスに関する。
【背景技術】
【０００３】
音声品質に対する要求がますます高くなっていることに伴い、ユーザは、自分のスマート端末などの設備が「音声を再生」させるだけではなく、イヤホンのクロストーク（ＣｒｏｓｓＴａｌｋ）による音質降下の問題を減らすことも望んでいる。
【０００４】
ユーザによりイヤホンを用いてスマート端末などの設備からの音声を聞く際に、いろんな原因によって、イヤホンのクロストークが発生する。従来技術において、多数の場合には、イヤホンの左右チャンネルの分離度を増大させる方法によって、左右チャンネルの間の直接クロストークを減少する。しかしながら、これにより、イヤホンの設計の難しさと生産コストが大幅に増加されるため、これは合理的な解決方法ではない。
【発明の概要】
【０００５】
本発明は、従来技術でのイヤホンのクロストークの技術問題を解決するために、イヤホンソケット、イヤホンプラグ、イヤホン及び電子デバイスを提供する。
【０００６】
本発明の実施例に係る第１の態様によると、イヤホンソケットを提供する。
【０００７】
前記イヤホンソケットは、
内部にイヤホンジャックが形成されたソケット本体と、
前記イヤホンジャック内に設置され、イヤホンプラグが前記イヤホンジャックに挿入される際に、前記イヤホンプラグの接地部に接触する複数の接地端子と
を含む。
【０００８】
オプションとして、前記イヤホンジャックの端部から前記複数の接地端子までの距離は、前記イヤホンプラグの挿入方向に沿って同一である。
【０００９】
オプションとして、前記複数の接地端子は、前記イヤホンジャックの周方向に沿って均等に配置される。
【００１０】
オプションとして、各前記接地端子は、
前記イヤホンジャックの内壁に設置された共通接地構造と、
前記イヤホンプラグが前記イヤホンジャックに挿入される際に、前記イヤホンプラグに接触される頭部と、
前記共通接地構造と頭部との間に設置された弾性機構と
を含む。
【００１１】
オプションとして、前記接地端子の頭部は球状の金属構造である。
【００１２】
オプションとして、各前記接地端子は弾性シート状構造である。
【００１３】
本発明の実施例に係る第２の態様によると、イヤホンプラグを提供する。
【００１４】
前記イヤホンプラグは、
プラグ本体と、
前記プラグ本体上における接地部に設置され、前記プラグ本体がイヤホンジャックに挿入される際に、前記イヤホンジャックの内壁上における共通接地エリアに接触する複数の接地端子と
を含む。
【００１５】
オプションとして、前記イヤホンプラグの端部から前記複数の接地端子までの距離は、前記イヤホンプラグの挿入方向に沿って同一である。
【００１６】
オプションとして、前記複数の接地端子は前記イヤホンプラグの周方向に沿って均等に配置される。
【００１７】
オプションとして、各前記接地端子は、
前記プラグ本体に設置された共通接地構造と、
前記イヤホンプラグが前記イヤホンジャックに挿入される際に、前記共通接地エリアに接触される頭部と、
前記共通接地構造と頭部との間に設置された弾性機構と
を含む。
【００１８】
オプションとして、前記プラグ本体の内部には、軸方向の収納空間が形成され、且つ、前記共通接地構造は当該軸方向の収納空間内に位置し、前記プラグ本体には、前記軸方向の収納空間と連通される複数の径方向の開放孔が、さらに、設けられ、且つ、前記接地端子は一対一に対応するように当該複数の径方向の開放孔内に位置する。
【００１９】
オプションとして、前記接地端子の頭部は球状の金属構造である。
【００２０】
本発明の実施例に係る第３の態様によると、イヤホンソケットを提供する。
【００２１】
前記イヤホンソケットは、
上記のいずれかの実施例のイヤホンプラグとマッチングするイヤホンソケットであって、
内部にイヤホンジャックが形成されたソケット本体と、
前記イヤホンジャックの内壁に設置され、前記イヤホンプラグが前記イヤホンジャックに挿入される際に、前記イヤホンプラグの接地部の複数の接地端子に接触される共通接地エリアと
を含む。
【００２２】
オプションとして、前記共通接地エリアは環状金属構造である。
【００２３】
本発明の実施例に係る第４の態様によると、イヤホンを提供する。
【００２４】
前記イヤホンは、
上記のいずれかの実施例のイヤホンプラグを含む。
【００２５】
本発明の実施例に係る第５の態様によると、電子デバイスを提供する。
【００２６】
前記電子デバイスは、
上記のいずれかの実施例のイヤホンソケットを含む。
【００２７】
本発明の実施例によって提供される構成の有益な効果は以下のとおりである。
【００２８】
本発明によると、複数の接地端子をイヤホンプラグの接地部に接触させて、イヤホンプラグとイヤホンソケットとの間の接地端の接触面積を増加させる。これにより、イヤホンプラグとイヤホンソケットとの間の接触インピーダンスを減少させ、また、これにより、スマート端末などの設備のメインボード側によるイヤホンのクロストークを減少させた。
【００２９】
以上の統括な記述と以下の細部記述は、ただ例示的なものであり、本発明を制限するものではないと、理解するべきである。
【図面の簡単な説明】
【００３０】
以下の図面は、明細書の一部分として明細書全体を構成することにより、本発明に合致する実施例を例示するとともに、本発明の原理を解釈するためのものである。
【００３１】
【図１】イヤホンを電子デバイスに接続させる際に形成されたインピーダンスを示す模式図である。
【００３２】
【図２】従来技術でのイヤホンプラグとイヤホンソケットとを接続させる際の軸方向の断面模式図である。
【００３３】
【図３】例示的な実施例に係るイヤホンプラグとイヤホンソケットとを接続させる際の軸方向の断面模式図である。
【００３４】
【図４】例示的な実施例に係るイヤホンプラグとイヤホンソケットとを接続させる際の軸方向の断面模式図である。
【００３５】
【図５】例示的な実施例に係るイヤホンプラグとイヤホンソケットとを接続させる際の径方向の断面模式図である。
【００３６】
【図６】他の例示的な実施例に係るイヤホンプラグとイヤホンソケットとを接続させる際の軸方向の断面模式図である。
【００３７】
【図７】他の例示的な実施例に係るイヤホンプラグとイヤホンソケットとを接続させる際の軸方向の断面模式図である。
【００３８】
【図８】例示的な実施例に係るイヤホンプラグの立体の構造模式図である。
【００３９】
【図９】例示的な実施例に係る接地端子の断面模式図である。
【００４０】
【図１０】他の例示的な実施例に係るイヤホンプラグとイヤホンソケットとを接続させる際の径方向の断面模式図である。
【発明を実施するための形態】
【００４１】
ここで、例示的な実施例を詳細に説明する。また、説明中の例は、図面に示している。以下の記述において、図面を説明する際に特に説明しない場合、異なる図面中の同一の符号は、同一或は同様な要素を意味する。以下の例示的な実施例において記述する実施方法は、本発明に合致するすべての実施方法を代表しない。逆に、それらは、添付の特許請求の範囲において詳細に記述された、本発明のいくつかの態様と合致する装置、及び方法の例に過ぎない。
【００４２】
図１は、イヤホンを電子デバイスに接続させる際に形成されるインピーダンスの模式図である。図１に示したように、Ｒｌ＿Ｔｒａｃｅ、Ｒｇ＿Ｔｒａｃｅ及びＲｒ＿Ｔｒａｃｅは、電子デバイス内部の配線による回線インピーダンスであり、Ｒｌ＿Ｃｏｎｄｕｃｔ、Ｒｇ＿Ｃｏｎｄｕｃｔ及びＲｒ＿Ｃｏｎｄｕｃｔは、イヤホンソケットとイヤホンプラグとの間で発生する接触インピーダンスであり、Ｒｌ１とＲｌ２、Ｒｒ１とＲｒ２は、それぞれ左右チャンネル配線によるインピーダンスであり、ＲｌｅｆｔとＲｒｉｇｈｔは、左右チャンネルのインピーダンスである。上記インピーダンスの中で、実際にイヤホンのクロストークを発生させるインピーダンスは、Ｒｇ＿ＴｒａｎｃｅとＲｇ＿Ｃｏｎｄｕｃｔであり、これらに対応して生じたイヤホンのクロストークは、下記の式（１）の演算により得られる。
【００４３】
【数１】
0006262374.tif 000002
【００４４】
式（１）にから分かるように、Ｒｇ＿ＴｒａｃｅとＲｇ＿Ｃｏｎｄｕｃｔをなるべく減少することにより、イヤホンのクロストークを減少することができる。そのうち、Ｒｇ＿Ｔｒａｃｅは、電子デバイス内部のトレースによるインピーダンスであり、トレースの長さを短縮し、トレースの面積を増大し、フィードバック信号を導入する方法によって、当該インピーダンスによるイヤホンのクロストークを降下することができる。しかしながら、従来技術において、既に合理的な配線方法によって、Ｒｇ＿Ｔｒａｃｅを、既にｍΩのレベルまで降下させることができて、さらに、最適化できる空間がもう非常に少なくなった。しかしながら、従来技術においては、Ｒｇ＿Ｃｏｎｄｕｃｔに対する最適化処理に対しては記載されていない。
【００４５】
Ｒｇ＿Ｃｏｎｄｕｃｔは、イヤホンプラグとイヤホンソケットとを実際に結合させる際に生じる接触インピーダンスであり、例えば、図２に示した従来技術でのイヤホンプラグとイヤホンソケットとを接続させる際の軸方向の断面模式図において、スプリングは、イヤホンソケット内のイヤホンジャックに設置され、イヤホンプラグを当該イヤホンジャックに挿入させた後に、当該スプリングはイヤホンプラグにおけるＧＮＤ端に接触することになり、該当するインピーダンスＲｇ＿Ｃｏｎｄｕｃｔが発生する。
【００４６】
従って、本発明の構成によると、新しいイヤホンソケット、イヤホンプラグ、イヤホン及び電子デバイスの構造を提供することにより、上記インピーダンスＲｇ＿Ｃｏｎｄｕｃｔを降下する。実施例によって、本発明の構成をさらに詳しく説明する。
【００４７】
１、イヤホンソケット
【００４８】
一実施例において、本発明は、イヤホンソケットに対する改進を提供する。図３は、例示的な実施例に係るイヤホンプラグとイヤホンソケットとを接続させる際の軸方向の断面模式図である。図３に示したように、イヤホンソケット１は、内部においてイヤホンジャック１１１が形成されたソケット本体１１と、前記イヤホンジャック１１１内に設置され、イヤホンプラグ２が前記イヤホンジャック１１１に挿入される際に、いずれも、前記イヤホンプラグ２における接地部２０に接触する複数の接地端子１２と、を含む。
【００４９】
本実施例において、接地部２０は、イヤホンプラグ２におけるＧＮＤ端であり（図２）、接地端子１２は、接地部２０と接触する際に、上記インピーダンスＲｇ＿Ｃｏｎｄｕｃｔを生じる。そのうち、図２に示した従来技術においては、スプリング（１つの接地端子に相当）とＧＮＤ端との接触さえ確保して接地を実現すればよい。しかしながら、本発明の上記の技術案において、複数の接地端子１２を設置して、同時に接地部２０と接触させることにより、これに対応する接触面積を従来技術の数倍に増加させるこれにより、発生する接触インピーダンスＲｇ＿Ｃｏｎｄｕｃｔを、図２に示した場合の１／Ｎ（Ｎは接地端子１２の数量である）までに減少させる。
【００５０】
図３に示した複数の接地端子１２を採用した実施例に対し、式（１）により対応する接触インピーダンスを計算することができる。ここで、イヤホンの左右チャンネルのインピーダンスは、一般的に、互いに等しいインピーダンス値であり、即ち、Ｒｌｅｆｔ＝Ｒｒｉｇｈｔ＝Ｒ、且つ、合理な配線方法によりＲｇ＿Ｔｒａｃｅを無視できるほど僅かな大きさまでに下げることができるため、式（１）を、以下のように簡略化できる。
【００５１】
【数２】
0006262374.tif 000003
【００５２】
さらに、Ｒ＞＞Ｒｇ＿Ｃｏｎｄｕｃｔ（ＲはＲｇ＿Ｃｏｎｄｕｃｔより遥かに大きい）、上記の式はさらに以下のように簡略化できる。
【００５３】
【数３】
0006262374.tif 000004
【００５４】
例えば、接地端子１２の数が８である場合に、イヤホンのクロストークを
【数４】
0006262374.tif 000005
まで降下させることができ、ユーザの音質に対する高い要求を満たすことができる。
【００５５】
以下の二つの部分を、説明する必要がある。
【００５６】
第１の部分：
【００５７】
図２に示したイヤホンプラグの構造において、イヤホンプラグは、左チャンネル信号に対応する第１の部分、右チャンネル信号に対応する第２の部分、ＧＮＤ信号に対応する第３の部分、ＭＩＣ（Ｍｉｃｒｏｐｈｏｎｅ、マイクロフォン）信号に対応する第４の部分を、順に、備える。しかしながら、これは、イヤホンプラグの構造の一つに過ぎず、例えば、他の１つのイヤホンプラグの構造において、ＧＮＤ信号に対応する第３の部分とＭＩＣ信号に対応する第４の部分だけを備えるか、または、左チャンネル信号に対応する第１の部分、右チャンネル信号に対応する第２の部分、及び、ＧＮＤ信号に対応する第３の部分とだけを備えてもよい。
【００５８】
実際に、本発明においては、ただ、図２に示したイヤホンプラグ構造を例として説明しただけであり、イヤホンプラグのタイプに対して制限しない。当業者は、本発明の構成が、すべての構造のイヤホンプラグに適用でき、いずれもイヤホンソケットにおいて複数の接地端子１２を採用することができ、イヤホンプラグとの接触面積を増加することにより、対応する接触インピーダンスを減少し、且つ、最終的にイヤホンのクロストークを減少して、より優れる音質を実現できることを理解すべきである。
【００５９】
第２の部分：
【００６０】
＜接地端子の構造＞
【００６１】
＜実施形態１＞
【００６２】
図４に示したように、イヤホンプラグ２をイヤホンジャック１１１に挿入させた後に、複数の接地端子１２はそれぞれイヤホンプラグ２の接地部２０と接触し、そのうち、イヤホンの各接地端子１２は、前記イヤホンジャック１１１の内壁に設置された共通接地構造１２１と、前記イヤホンプラグ２が前記イヤホンジャック１１１に挿入される際に前記イヤホンプラグ２と接触できる頭部１２２と、共通接地構造１２１と頭部１２２との間に設置された弾性機構１２３と、を含んでもよい。そのうち、接地端子１２の頭部１２２は、球状の金属構造でもよく、これにより信頼性の高い接触を実現する。
【００６３】
図２に示したスプリング構造と比べると分かるように、スプリング構造は、ただ、自分の機械的な変形だけにより弾力を生じ、この弾力は微弱である。これに対し、図４に示した接地端子１２において、独立な弾性機構１２３（例えば、ばねなどの構造）によりもっと大きい圧力を提供することができ、接地端子１２の頭部をより大きい圧力によってイヤホンプラグ２の接地部と接触させるこれにより、生じる接触インピーダンスをさらに降下させることに資し、イヤホンのクロストークを減少する。
【００６４】
接地部２０は、イヤホンプラグ２における短い部分であるため、すべての接地端子１２をいずれも接地部２０に精度よく接触させることを確保するために、複数の接地端子１２が前記イヤホンプラグ１の挿入方向において、前記イヤホンジャック１１１の端部（入口または底面、未図示）との距離を同じようにさせてもよい。
【００６５】
図５は、イヤホンプラグ２をイヤホンジャック１１１に挿入させた際に、複数の接地端子１２と接地部２０の協力を示した径方向の断面模式図である。図５に示したように、共通接地構造１２１は、イヤホンジャック１１１の内壁に設置された環状の金属構造であってもよく、当該共通接地構造１２１の内側は、弾性構造１２３と接続し、当該共通接地構造１２１の外側は、電子デバイスのメインボード（未図示）と接続する。
【００６６】
また、すべての接地端子１２は、イヤホンジャック１１１の周方向に沿って均等に配置することができ、これにより、イヤホンプラグ２に対する「包囲」を形成し、すべての接地端子１２が接地部２０と接触でき、且つ、接触圧力は同一であることを確保する。
【００６７】
＜実施形態２＞
【００６８】
当業者は、本発明は接地端子１２の構造に対して制限することではなく、例えば、図４に示した構造に加え、従来技術における弾性シート状構造（即ち、図２に示したスプリング）を採用することもできることを理解すべきである。
【００６９】
図６に示したように、一つの例示的な実施例において、イヤホンジャック１１１の内壁に複数の弾性シート状構造の接地端子１２を設置することにより、イヤホンプラグ２をイヤホンジャック１１１に挿入させる際に、複数の接地端子１２は図７に示したように、同時に自分の機械的変形によって生じた弾力によって、イヤホンプラグ２における接地部２０を接触させる。これにより、増加された接触面積によって、対応する接触インピーダンスを降下し、当該接触インピーダンスにより生じたイヤホンのクロストークを減少する。
【００７０】
２、イヤホンプラグとイヤホンソケット
【００７１】
（１）イヤホンプラグ
【００７２】
一実施例において、本発明はイヤホンプラグ及びイヤホンソケットに対する同時な改進を提供した。従って、図８は例示的な実施例に係るイヤホンプラグの立体な構造模式図である。図８に示したように、当該イヤホンプラグ３は、プラグ本体３１と、前記プラグ本体３１の接地部３０に設置され、前記プラグ本体３１がイヤホンジャック（未図示）に挿入される際に、前記イヤホンジャックの内壁における共通接地エリアに接触される複数の接地端子３２と、を含んでもよい。
【００７３】
上記実施例において、イヤホンプラグ３のプラグ本体３１に複数の接地端子３２を設置することにより、複数の接地端子３２を同時にイヤホンジャックの共通接地エリアと接触させて、イヤホンプラグ３のＧＮＤ端とイヤホンジャックの共通接地エリアとの間の接触面積を増大することにより、これに対応する接触インピーダンスを降下し、当該接触インピーダンスにより生じるイヤホンのクロストークを減少する。
【００７４】
イヤホンプラグ３をイヤホンジャックに挿入させた後に、イヤホンプラグ３とイヤホンソケットとの間において複数の信号の伝送を実現する必要があるから、共通接地エリアの面積が有限であり、前記イヤホンプラグ３の挿入方向において、複数の接地端子３２それぞれと、前記イヤホンプラグ３の端部との距離を同一にすることにより、すべての接地端子３２をいずれも共通接地エリアと精度よく接触させることを確保する。
【００７５】
図９は、例示的な実施例に係る接地端子の断面模式図であり、図９に示したように、各接地端子３２は、前記プラグ本体３１に設置された共通接地構造３２１と、前記イヤホンプラグ３が前記イヤホンジャックに挿入される際に、前記共通接地エリアと接触できる頭部３２２と、共通接地構造３２１と頭部３２２との間に設置された弾性機構３２３と、を含んでもよい。そのうち、接地端子３２の頭部３２２は球状の金属構造でもよく、これにより信頼性の高い接触を実現する。もちろん、他の構造を採用してもよい。
【００７６】
当該実施例において、図４に示した接地端子１２と類似する。即ち、独立な弾性機構３２３（例えば、ばねなど）を採用することにより、接地端子３２により大きい接触圧力を提供するようにして、接触インピーダンスを降下し、イヤホンのクロストークを減少することに資する。
【００７７】
図１０に示したように、プラグ本体３１の内部において軸方向の収納空間が形成され、且つ、前記共通接地構造３２１は当該軸方向の収納空間（非図示）内に位置する。また、前記プラグ本体３１において、前記軸方向の収納空間と連通される複数の径方向の開放孔（非図示）が設置され、且つ、前記接地端子３２は、１対１対応で当該複数の径方向の開放孔内に位置する。
【００７８】
そのうち、図１０から分かるように、イヤホンプラグ３をイヤホンソケット４内に形成されたイヤホンジャック４１に挿入させる際に、イヤホンプラグ３における複数の接地端子３２を、いずれも、イヤホンジャック４１の内壁における共通接地エリア４０と接触させることにより、接触面積を増加し、接触インピーダンスを降下する。
【００７９】
また、すべての接地端子３２は、イヤホンプラグ３の周方向に沿って均等に配置させてもよく、これにより、イヤホンプラグ３をイヤホンジャック４１に挿入させる際に、共通接地エリア４０は、すべての接地端子３２に対する「包囲」を形成し、すべての接地端子３２が共通接地エリア４０と接触でき、且つ、接触圧力が等しくすることを確保する。
【００８０】
（２）イヤホンソケット
【００８１】
図１０に示したように、上記（１）のイヤホンプラグ３の構造に対応し、本発明は当該イヤホンプラグ３の構造とマッチングするイヤホンソケット４を提供し、当該イヤホンソケット４は、内部においてイヤホンジャック４１が形成されたソケット本体（未図示）と、前記イヤホンジャック４１の内壁に設置され、前記イヤホンプラグ３（図８に示したように）が前記イヤホンジャック４１に挿入される際に、前記イヤホンプラグ３における接地部３０の複数の接地端子３２と接触する共通接地エリア４０と、を含む。
【００８２】
オプションとして、共通接地エリア４０は環状の金属構造であってもよい。
【００８３】
本発明の構成に基づき、これ対応するイヤホンも提供し、上記のいずれかの実施例のイヤホンプラグを含んでもよい。
【００８４】
本発明の構成に基づき、さらにこれに対応する電子デバイスも提供し、上記のいずれかの実施例のイヤホンソケットを含んでもよく、例えば、当該電子デバイスは、スマートフォン、音楽プレーヤー、タブレットＰＣ、等であってもよい。
【００８５】
当業者は、明細書を検討して本発明を実施した後、本発明の他の実施例を容易に考え出すことができる。本願は、本発明のいずれの変形、用途、又は適応的な変更をカバーすることを意図しており、これらの変形、用途、又は適応的な変更は、本発明の一般的な原理に従い、また、本発明は公開していない当該技術分野の公知の知識又は通常の技術手段を含む。明細書と実施例はただ例示として考慮され、本発明の本当の範囲と趣旨は以下の特許請求の範囲に記載される。
【００８６】
本発明は上記に記述され、また図面で示した厳密な構成に限定されず、その範囲を逸脱しない限り多様な置換えと変更を行うことができると、理解されるべきである。本発明の範囲は添付の特許請求の範囲のみにより限定される。
【図１】
0006262374.tif 000006
【図２】
0006262374.tif 000007
【図３】
0006262374.tif 000008
【図４】
0006262374.tif 000009
【図５】
0006262374.tif 000010
【図６】
0006262374.tif 000011
【図７】
0006262374.tif 000012
【図８】
0006262374.tif 000013
【図９】
0006262374.tif 000014
【図１０】
0006262374.tif 000015